(57)【要約】【課題】  髪染め途中でも手を使わずに水平方向の向き角度を調整して後頭部の各部すなわち後頭部全体を視認可能で、しかも、使用上の制約がなく、効率良く髪染め作業可能である髪染め補助装置を提供すること。【解決手段】  移動可能なフレーム台１の一方に鏡部５を使用者の頭部高さ位置まで上下に高さ調整可能に備え、当該フレーム台１の他方に髪染めのための各種部材が載るテーブル部７を使用者の手元高さ位置まで上下に高さ調整可能に備え、前記鏡部５の鏡面部５ｄを、この鏡面部５ｄに他の鏡を経て使用者の後頭部が映る位置にセットした状態で、前記テーブル部７が使用者の手元に位置するようにフレーム台１を経て対峙する位置関係にセット可能に形成してある。【選択図】  図１
0003108383.tif 000002
【実用新案登録請求の範囲】
【請求項１】
移動可能なフレーム台の一方に鏡部を使用者の頭部高さ位置まで上下に高さ調整可能に備え、当該フレーム台の他方に髪染めのための各種部材が載るテーブル部を使用者の手元高さ位置まで上下に高さ調整可能に備え、前記鏡部の鏡面部を、この鏡面部に他の鏡を経て使用者の後頭部が映る位置にセットした状態で、前記テーブル部が使用者の手元に位置するようにフレーム台を経て対峙する位置関係にセット可能に形成してあることを特徴とする髪染め補助装置。
【請求項２】
鏡部が首振り可能で、フレーム台に姿見部が備えられていることを特徴とする請求項１記載の髪染め補助装置。
【請求項３】
鏡部とテーブル部が入れ替え可能に備えられていることを特徴とする請求項１または２記載の髪染め補助装置。
【考案の詳細な説明】
【技術分野】
【０００１】
本考案は、髪を染める際に有用な髪染め補助装置に関する。
【背景技術】
【０００２】
特許文献１に記載されている自在鏡がある。これの構成は、任意形状の鏡１と軸状のアーム２を自在継手５で連結し、該アーム２と軸状のアーム３を自在継手６で連結し、更に該アーム３と取付具４を自在継手７で連結して、多関節型の自在なアーム２、３により保持された鏡１としたものである。
かかる自在鏡では、取付具４を洗面化粧台等における化粧鏡の上縁に取り付けることで、この化粧鏡に映る鏡１を通じて後頭部等を視認することができるようになっている。
ところで髪を染める作業は、髪染め材に付属している手袋を嵌めた両手で髪染め材を髪にすり込むようにして行なうため、染め途中で鏡１の鏡面部における水平方向の向き角度を調整することは殆ど不可能であり、敢えて角度調整しようとすれば手袋に付いている髪染め材が鏡１の鏡面部に付着してしまうことになる。
また、洗面化粧台の化粧鏡と背面側の壁との間に取付具４を取付け可能な隙間がない場合には、自在鏡そのものを取り付けることすらできないという不都合があり、使用上の制約がある。
さらに、髪を染める上でかかせない髪染め材が載るスペースを洗面化粧台に確保できない場合には、そのスペースを何かで確保しなければ髪を染めることすらできなくなる。
【特許文献１】特開２００１−２１１９７６
【考案の開示】
【考案が解決しようとする課題】
【０００３】
解決しようとする課題は、第１には、髪染め途中でも手を使わずに水平方向の向き角度を調整して後頭部の各部すなわち後頭部全体を視認可能で、しかも、使用上の制約がなく、効率良く髪染め作業可能である髪染め補助装置を、第２には、さらに、姿見としても利用可能である髪染め補助装置を、第３には、さらに、利き手に応じて使い易くセット可能である髪染め補助装置を提供することにある。
【課題を解決するための手段】
【０００４】
本考案では前記した課題を達成するため、以下の構成にしたことを特徴とする。
１．移動可能なフレーム台の一方に鏡部を使用者の頭部高さ位置まで上下に高さ調整可能に備え、当該フレーム台の他方に髪染めのための各種部材が載るテーブル部を使用者の手元高さ位置まで上下に高さ調整可能に備え、前記鏡部の鏡面部を、この鏡面部に他の鏡を経て使用者の後頭部が映る位置にセットした状態で、前記テーブル部が使用者の手元に位置するようにフレーム台を経て対峙する位置関係にセット可能に形成してあることを特徴とする。
２．前記1において、鏡部が首振り可能で、フレーム台に姿見部が備えられていることを特徴とする。
３．前記１または２において、鏡部とテーブル部が入れ替え可能に備えられていることを特徴とする。
本考案におけるフレーム台は、金属製、合成樹脂製、木製等であり、キャスター付きの移動タイプであってもよいし、キャスターがない移動タイプ（床面を滑らせて移動する）でもよい。鏡部における鏡面部は、円形状あるいは矩形状等の任意形状のものでよく制限されない。テーブル部は、髪染め材が収容されているチューブ等の容器や当該容器から出された髪染め材の受け皿および髪を染めるのに使われる道具等を置ける大きさ・形状のものであれば良い。姿見部はフレーム台に備えられていてもよいし、なくともよい。フレーム台における一方の鏡部と他方のテーブル部は、入れ替え可能にしてもよいし、そうでなくてもよい。前者の場合、利き手に応じて鏡部とテーブル部を入れ替え可能になる。
【考案の効果】
【０００５】
Ａ．請求項１により、髪染め途中でもフレーム台を足で動かして、手を使わずに鏡部の水平方向の向き角度を調整できるため、たとえば鏡部に映る化粧鏡を経て後頭部の各部すなわち後頭部全体を視認することができる。しかも、移動タイプであるから、床面を自在に移動させるか或いは持ち動かすことができて使用上の制約がない。そして、髪染め時には鏡部の鏡面部に使用者の後頭部が映っている状態で、前記テーブル部が使用者の手元に位置していることにより、両手を使い効率良く髪染め作業することができる。
Ｂ．請求項２により、さらに、鏡部を適宜首振りすることで化粧鏡に映る後頭部の箇所を微調整することができるし、化粧鏡に映る姿見部から後頭部の染まり具合と上半身乃至全身の姿とを視認できる。
Ｃ．請求項３により、さらに、鏡部とテーブル部を入れ替えることで、右利きの人あるいは左利きの人がそれぞれ使い易くセットできて汎用性が高い。
【考案を実施するための最良の形態】
【０００６】
図１〜図２には本考案の髪染め補助装置における実施の１形態を例示しており、フレーム台１は、台部２の四隅にストッパー付きのキャスター２ａを備えていて移動自在に形成してある。台部２には、蓋付きの物入れ１８を置いて後述の鏡部５やテーブル部７を出し入れ可能にしてあると共に、左右の支持管３、４を左右平行状に立設してある。
左支持管３は、上端の管口３ａから管内に鏡部５の杆部５ａを上下動自在に挿入してあり、鏡部５を使用者の頭部高さ位置まで上下に高さ調整可能に備えてある。また、左支持管３上端には、スリット３ｂを管口３ａから切り割して設けると共に、管口３ａの外周に雄状テーパー部３ｃを、この雄状テーパー部３ｃの下側に雄螺子部３ｄを、それぞれ設けてある。そして、雄螺子部３ｄに螺合している雌螺子部６ａが設けられた左締付リング６を右回し操作することで、左締付リング６における雌状テーパー部６ｂが雄状テーパー部３ｃに圧接して管口３ａの口径が小径に絞られ、管口３ａに鏡部５の杆部５ａがロックされるようにしてある。このロック状態は、左締付リング６を左回し操作することで解除される。
【０００７】
右支持管４は、上端の管口４ａから管内にテーブル部７の下杆部７ａを上下動自在に挿入してあり、テーブル部７を使用者の手元高さ位置まで上下に高さ調整可能に備えてある。また、右支持管４上端には、スリット４ｂを管口４ａから切り割して設けると共に、管口４ａの外周に雄状テーパー部４ｃを、この雄状テーパー部４ｃの下側に雄螺子部４ｄを、それぞれ設けてある。そして、雄螺子部４ｄに螺合している雌螺子部８ａが設けられた右締付リング８を右回し操作することで、右締付リング８における雌状テーパー部８ｂが雄状テーパー部４ｃに圧接して管口４ａの口径が小径に絞られ、管口４ａにテーブル部７の下杆部７ａがロックされるようにしてある。このロック状態は、右締付リング８を左回し操作することで解除される。
【０００８】
鏡部５は、杆部５ａとフレキシブル管５ｂを有し、杆部５ａ上端にフレキシブル管５ｂ下端を、この下端の雄螺子部５ｃと螺合する雌螺子部９ａが設けられた左接続リング９を右回し操作することにより接続してある。この接続状態は、左接続リング９を左回し操作することで解除される。
そして、フレキシブル管５ｂ上端には鏡部５を首振り自在に取り付けてあり、鏡面部５ｄの小さな角度の微調整を首振りすることで行ない、大きな角度の調整をフレキシブル管５ｂの曲げ調整によって行なえるようにしてある。
【０００９】
テーブル部７は、下杆部７ａと上杆部７ｂを有し、下杆部７ａ上端に上杆部７ｂ下端を、この下端の雄螺子部７ｃと螺合する雌螺子部１０ａが設けられた右接続リング１０を右回し操作することにより接続してある。この接続状態は、右接続リング１０を左回し操作することで解除される。
そして、上杆部７ｂ上端にはテーブル部７を揺動自在に取り付けてあり、テーブルの面角度を水平状あるいは適宜傾斜状に調整可能にしてあると共に、適宜の面角度に固定レバー１１を回し操作してロックし得るようにしてある。
また、鏡部５の杆部５ａとテーブル部７の下杆部７ａは、外径を同径にすることで左右の支持管３、４のいずれにも付け替え可能に形成してあり、使用者の利き手に応じて鏡部５とテーブル部７を左右入れ替え可能にしてある。
【００１０】
左右の支持管３、４間には姿見部１２を取り付けてある。この縦長矩形状の姿見部１２は、左右側面のほぼ中央から突出している支軸１３端を左右の支持管３、４における保持部１４にピン１５でそれぞれ止着してある。また、姿見部１２は、支軸１３両端の螺子部１３ａに螺合している螺子孔部１６ａが設けられた左右の固定リング１６を回し操作することで、鏡面部１２ａを適宜の向き角度にロック可能にしてある。このロック状態は、左右の固定リング１６を逆回し操作することにより解除し得るようにしてある。左右の保持部１４は、左右の支持管３、４に止ネジ１７で上下位置調整可能に固定してあり、姿見部１２の上下高さを調整可能にしてある。
【００１１】
次に図３を参照して使用の一例を説明する。
先ず、鏡部５の鏡面部５ｄが目線の高さになるように左締付リング６で上下高さを調整する一方で、テーブル部７が手元の高さになるように右締付リング８で上下高さを調整する。然る後、化粧鏡１９の前に後ろ向きに立ち、斜め前方の鏡面部５ｄに化粧鏡１９を経て後頭部が映るようにセットし、且つ、テーブル部７を体の前側に位置するようにセットする。
こうすることで、テーブル部７の髪染め材を利き手のブラシに付け、鏡面部５ｄに映る後頭部を目視確認しながら両手で髪を染めることが可能になる。
そして、姿見部１２を使い姿見として使用可能である。また、鏡部５およびテーブル部７を使わない場合には、物入れ１８に入れておける。
【図面の簡単な説明】
【００１２】
【図１】本考案の髪染め補助装置における実施の１形態を例示している正面図。
【図２】（ａ）は接続リング周りの部分拡大断面図、（ｂ）は締付リング周りの部分拡大断面図、（ｃ）は固定レバー周りの部分拡大断面図、（ｄ）は固定リング周りの部分拡大断面図。
【図３】使用状態を示す概略の平面図。
【符号の説明】
【００１３】
１  フレーム台
２  台部
２ａ  キャスター
３  左支持管
３ａ  管口
３ｂ  スリット
３ｃ  雄状テーパー部
３ｄ  雄螺子部
４  右支持管
４ａ  管口
４ｂ  スリット
４ｃ  雄状テーパー部
４ｄ  雄螺子部
５  鏡部
５ａ  杆部
５ｂ  フレキシブル管
５ｃ  雄螺子部
５ｄ  鏡面部
６  左締付リング
６ａ  雌螺子部
６ｂ  雌状テーパー部
７  テーブル部
７ａ  下杆部
７ｂ  上杆部
７ｃ  雄螺子部
８  右締付リング
８ａ  雌螺子部
８ｂ  雌状テーパー部
９  左接続リング
９ａ  雌螺子部
１０  右接続リング
１０ａ  雌螺子部
１１  固定レバー
１２  姿見部
１２ａ  鏡面部
１３  支軸
１３ａ  螺子部
１４  保持部
１５  ピン
１６  固定リング
１６ａ  螺子孔部
１７  止ネジ
１８  物入れ
１９  化粧鏡（鏡）
【図１】
0003108383.tif 000003
【図２】
0003108383.tif 000004
【図３】
0003108383.tif 000005